(57)【特許請求の範囲】
【請求項１】
電力系統の電源側および負荷側間に介在して同負荷側に供給される電圧を一定の範囲の電圧に調整しまたは連系点の力率を一定にする電圧調整装置と、前記電力系統との間に配設される電圧調整装置用の開閉器であり、当該開閉器は、前記電力系統および前記電圧調整装置間に介在してこれら両者の電気的接続を断続するスイッチと、前記電源側および負荷側の電流、および電圧を監視する電流検出用センサ、および電圧検出用センサと、前記電圧調整装置の故障を検出する異常検出用センサを器本体に内蔵し、かつ、前記器本体は、一側に前記電力系統に接続される一対の電力系統側端子を備えているとともに、他側に前記電圧調整装置側に接続される電圧調整装置側端子を備え、前記器本体内にて、前記両電力系統側端子は互いに接続され、かつ前記電圧調整装置側端子に対して前記スイッチを介して接続されていることを特徴とする電圧調整装置用の開閉器。
【請求項２】
請求項１に記載の電圧調整装置用の開閉器において、前記両電力系統側端子は前記電力系統を遮断する第２のスイッチを介して互いに接続されていることを特徴とする電圧調整装置用の開閉器。
【請求項３】
電力系統の電源側および負荷側間に介在して同負荷側に供給される電圧を一定の範囲の電圧に調整しまたは連系点の力率を一定にする電圧調整装置と、前記電力系統との間に配設される電圧調整装置用の開閉器であり、当該開閉器は、前記電力系統および前記電圧調整装置間に介在してこれら両者の電気的接続を断続するスイッチと、前記電源側および負荷側の電流、および電圧を監視する電流検出用センサ、および電圧検出用センサと、前記電圧調整装置の故障を検出する異常検出用センサを器本体に内蔵し、かつ、前記器本体は、両側に前記電力系統に接続される電力系統側端子をそれぞれ備えているとともに、いずれか一方側に前記電圧調整装置に接続される電圧調整装置側端子を備え、前記器本体内にて、前記両電力系統側端子は互いに接続され、かつ前記電圧調整装置側端子に対して前記スイッチを介して接続されていることを特徴とする電圧調整装置用の開閉器。
【発明の詳細な説明】
【０００１】
【発明の属する技術分野】
本発明は、電力系統の電源側および負荷側間に介在して同負荷側に供給される電圧を一定の範囲の電圧に調整し、または連系点の力率を一定にする電圧調整装置用の開閉器に関する。
【０００２】
【従来の技術】
電力系統の電源側および負荷側間に介在して同負荷側に供給される電圧を一定の範囲の電圧に調整し、または連系点の力率を一定にするための電圧調整装置は、電力系統の配電線にスイッチを介して接続されるのが一般である。また、電源側および負荷側の電流、および電圧を監視するするための電流検出用センサ、および電圧検出用センサは、前記スイッチとは独立して電源側および負荷側に接続され、かつ電圧調整装置の故障を検出するための異常検出用センサは、前記スイッチとは独立して同スイッチと電圧調整装置との間に接続される。
【０００３】
【発明が解決しようとする課題】
このように、従来は、電圧調整装置、スイッチ、電流検出用センサ、電圧検出用センサ、異常検出用センサ等がそれぞれ独立して配設されるものであることから、これらの配設に時間がかかるとともに、配設作業が面倒である。
【０００４】
従って、本発明の目的は、上記したスイッチ、各検出用センサをコンパクトにまとめた開閉器を提供して、面倒な配設作業を解消することにある。
【０００５】
【課題を解決するための手段】
本発明は、電圧調整装置用の開閉器に関し、電力系統の電源側および負荷側間に介在して同負荷側に供給される電圧を一定の範囲の電圧に調整しまたは連系点の力率を一定にする電圧調整装置と、前記電力系統との間に配設される電圧調整装置用の開閉器を適用対象とするものである。
【０００６】
しかして、本発明に係る第１の開閉器は、前記電力系統および前記電圧調整装置間に介在してこれら両者の電気的接続を断続するスイッチと、前記電源側および負荷側の電流、および電圧を監視する電流検出用センサ、および電圧検出用センサと、前記電圧調整装置の故障を検出する異常検出用センサを器本体に内蔵し、かつ、前記器本体は、一側に前記電力系統に接続される一対の電力系統側端子を備えているとともに、他側に前記電圧調整装置側に接続される電圧調整装置側端子を備え、前記器本体内にて、前記両電力系統側端子は互いに接続され、かつ前記電圧調整装置側端子に対して前記スイッチを介して接続されていることを特徴とするものである。
【０００７】
本発明に係る第１の開閉器においては、前記両電力系統側端子を、前記電力系統を遮断する第２のスイッチを介して互いに接続するように構成することができる。
【０００８】
また、本発明に係る第２の開閉器は、前記電力系統および前記電圧調整装置間に介在してこれら両者の電気的接続を断続するスイッチと、前記電源側および負荷側の電流、および電圧を監視する電流検出用センサ、および電圧検出用センサと、前記電圧調整装置の故障を検出する異常検出用センサを器本体に内蔵し、かつ、前記器本体は、両側に前記電力系統に接続される電力系統側端子をそれぞれ備えているとともに、いずれか一方側に前記電圧調整装置に接続される電圧調整装置側端子を備え、前記器本体内にて、前記両電力系統側端子は互いに接続され、かつ前記電圧調整装置側端子に対して前記スイッチを介して接続されていることを特徴とするものである。
【０００９】
【発明の作用・効果】
このように構成した電圧調整装置用の、本発明に係る第１および第２の開閉器においては、器本体内に、電力系統側および電圧調整装置側間に介在してこれら両者の電気的接続を断続するスイッチ、電源側および負荷側の電流、および電圧を監視する電流検出用センサ、および電圧検出用センサ、電圧調整装置の故障を検出する異常検出用センサが内蔵されているため、開閉器を電力系統側および電圧調整装置側間に配設すれば、上記したスイッチおよび各センサが所定の部位に配設されることになり、これらをそれぞれ独立して配設する場合に比較して、配設作業の時間が短縮され、かつ面倒な配設作業が解消される。
【００１０】
しかして、本発明に係る各開閉器においては、器本体に３つの端子を設けて、電力系統の配電線を両端子に接続し、かつ残りの端子に電圧調整装置側を接続した三端子構造を採っているので、当該開閉器の電力系統側および電圧調整装置側間への配設が一層容易になる。この場合、本発明に係る第２の開閉器のごとく、前記器本体の両側に電力系統側に接続される一対のそれぞれの電力系統側端子を、いずれか一方側に前記電圧調整装置側に接続される電圧調整装置側端子を設けた三端子構造として、器本体内にて、前記電力系統側端子を互いに接続するとともに、前記電圧調整装置側端子に対してスイッチを介して接続する構成を採れば、通常の電力系統に使用される開閉器と同様に、各電力系統側端子が器本体の両側に配置されているため、柱上設置する場合に通常の開閉器と同様に取付け可能であって、取扱いが容易である。
【００１１】
また、この場合、本発明に係る第１の開閉器のごとく、前記器本体の一側に電力系統側に接続される一対の電力系統側端子を設けるとともに、他側に電圧調整装置側に接続される電圧調整装置側端子を設けた三端子構造として、器本体内にて、両電力系統側端子を互いに接続するとともに、電圧調整装置側端子に対してスイッチを介して接続する構成を採れば、当該開閉器は外観上、通常の電力系統に使用される開閉器とは確実に識別し得る形状となって、取扱いが容易になる。この場合、両電力系統側端子を電力系統を遮断する第２のスイッチを介して互いに接続する構成を採ることができる。これにより、当該開閉器を配設する場合には第２のスイッチを開成しておき、配設作業終了後に同スイッチを閉成して電圧調整装置側へ課電することができ、通常の電力系統に使用される開閉器と同様の配設が可能である。
【００１２】
【発明の実施の形態】
以下、本発明を図面に基づいて説明すると、図１〜図３には本発明に係る開閉器の３つの態様が模式的に示されており、また、図４には通常の電力系統に使用される開閉器が示されている。
【００１３】
図１に示す第１の態様の開閉器１０ａは、器本体１１の一側に一対の電力系統側端子１２ａ，１２ｂが設けられているとともに、他側に電圧調整装置側端子１３が設けられている三端子構造のもので、各電力系統側端子１２ａ，１２ｂは電力系統の電源側および負荷側に接続され、かつ電圧調整装置側端子１３は電圧調整装置側に接続される。また、図５には、開閉器１０ａの回路図が示されている。
【００１４】
当該開閉器１０ａにおいて、両電力系統側端子１２ａ，１２ｂは、器本体１１内にて、互いに接続されているとともに、電圧調整装置側端子１３に接続されていて、両電力系統側端子１２ａ，１２ｂを接続する接続回路には、第１電流検出用センサ１４ａ〜１４ｄが介装され、かつ両電力系統側端子１２ａ，１２ｂと電圧調整装置側端子１３を接続する接続回路にはスイッチ１５が介装されている。また、両電力系統側端子１２ａ，１２ｂと電圧調整装置側端子１３を接続する接続回路には、スイッチ１５の介装部位より下流側に第２電流検出用センサ１６ａ，１６ｂと、第３電流検出用センサ１７が介装され、かつスイッチ１５の介装部位より上流側に電圧検出用センサ１８が介装されている。なお、図５における符号１９は、各電流検出用センサ１４ａ〜１４ｄ、１６ａ，１６ｂの保護回路を示している。
【００１５】
第１電流検出用センサ１４ａ〜１４ｄは、電力系統の電源側および負荷側の無効電力を求めるための電流を検出するためのもので、保護回路１９を介して図示しない電流検出器に接続されている。第２電流検出用センサ１６ａ，１６ｂは、電圧調整装置が故障して短絡事故が発生した場合の過電流を検出するためのもので、保護回路１９を介して図示しない短絡故障検出器に接続されている。
【００１６】
第３電流検出用センサ１７は、電圧調整装置が故障して地絡事故を検出するためのもので、図示しない地絡故障検出器に接続されている。電圧検出用センサ１８は、電力系統の無効電力量を求めかつ電圧の制御に用いる電圧を測定するために、電圧調整装置の取付点の電圧を検出するもので、図示しない電圧検出器に接続されている。
【００１７】
スイッチ１５は、電圧調整装置を電力系統から切り離すもので、電圧調整装置または電力系統に異常状態が発生した場合に、電圧調整装置を電力系統から切り離すべく制御装置により開動作される。但し、電圧調整装置に短絡事故が発生した場合には、短絡電流が流れている間はスイッチ１５は動作せず、事故後に電力系統が無電圧になった時点で切り離すべく、開動作を制御される。
【００１８】
これらの各センサ１４ａ〜１４ｄ，１６ａ，１６ｂ、１７、１８および各検出器は、それ自体公知のものであり、またスイッチ１５およびその制御装置も、それ自体公知のものである。
【００１９】
このように構成した開閉器１０ａにおいては、器本体１１内に、電力系統側および電圧調整装置側間に介在してこれら両者の電気的接続を断続するスイッチ１５、電源側の電流、および電圧を監視する第１電流検出用センサ１４ａ〜１４ｄ、および電圧検出用センサ１８、電圧調整装置の故障を検出する異常検出用センサである第２，第３電流検出用センサ１６ａ，１６ｂ，１７が内蔵されているため、開閉器１０ａを電力系統側および電圧調整装置側間に配設すれば、スイッチ１５および各センサ１４ａ〜１４ｄ，１６ａ，１６ｂ，１７，１８は所定の部位に配設されることになり、これらをそれぞれ独立して配設する場合に比較して、配設作業の時間が短縮され、かつ面倒な配設作業が解消される。
【００２０】
また、当該開閉器１０ａにおいては、器本体１１に３つの端子１２ａ，１２ｂ，１３を設けて、配電線を両電力系統側端子１２ａ，１２ｂに接続し、かつ電圧調整装置側端子１３に電圧調整器側を接続する三端子構造にしているため、電力系統および電圧調整装置間への配設が容易になる。この場合、器本体１１の一側に電力系統側に接続される一対の電力系統側端子１２ａ，１２ｂを、他側に電圧調整装置側に接続される１つの電圧調整装置側端子１３を設けているため、開閉器１０ａは外観上、通常の電力系統に使用される図４に示す開閉器２０とは確実に識別し得る形状となり、開閉器１０ａの誤操作を防止できることになる。
【００２１】
なお、図４に示す開閉器２０は、器本体２１の両側に一対の電力系統側端子２２ａ，２２ｂが設けられていて、両電力系統側端子２２ａ，２２ｂは、器本体２１内にて、スイッチ２３を介して互いに接続されている構成となっている。
【００２２】
図２には、本発明に係る開閉器の第２の態様が示されている。当該開閉器１０ｂは、基本的には、第１の態様の開閉器１０ａと同じ構成のもので、当該開閉器１０ｂでは、両電力系統側端子１２ａ，１２ｂを接続する接続回路に第２のスイッチ１５ａが介装されている。第２のスイッチ１５ａは電力系統を断続するもので、当該開閉器１０ｂを配設する場合には第２のスイッチ１５ａを開成しておき、配設作業終了後に同スイッチ１５ａを閉成して電圧調整装置側への課電を可能にすることができ、配設作業時に通常の電力系統に使用される開閉器２０と同様の高い安全性が確保される。
【００２３】
図３には、本発明に係る開閉器の第３の態様が示されている。当該開閉器１０ｃは、器本体１１の両側に各電力系統側端子１２ａ，１２ｂが設けられているとともに、他側に電圧調整装置側端子１３が設けられている三端子構造のもので、各電力系統側端子１２ａ，１２ｂは電力系統に接続され、かつ電圧調整装置側端子１３は電圧調整装置側に接続される。当該開閉器１０ｃのその他の構成は、第１の態様の開閉器１０ａと同じである。
【００２４】
当該開閉器１０ｃにおいては、図４に示す通常の電力系統に使用される開閉器２０と同様に、各電力系統側端子１２ａ，１２ｂが器本体１１の両側に配置されているため、柱上設置する場合に通常の開閉器２０と同様に取付け可能であって、取扱いが容易である。
【図面の簡単な説明】
【図１】本発明に係る開閉器の第１の態様を示す模式図である。
【図２】本発明に係る開閉器の第２の態様を示す模式図である。
【図３】本発明に係る開閉器の第３の態様を示す模式図である。
【図４】通常の電力系統に使用される開閉器の模式図である。
【図５】本発明に係る第１の態様の開閉器の回路図である。
【符号の説明】
１０ａ〜１０ｃ，２０…開閉器、１１，２１…器本体、１２ａ，１２ｂ，２２ａ，２２ｂ…電力系統側端子、１３…電圧調整装置側端子、２３…スイッチ、１４ａ〜１４ｄ…第１電流検出用センサ、１５…スイッチ、１５ａ…第２のスイッチ、１６ａ，１６ｂ…第２電流検出用センサ、１７…第３電流検出用センサ、１８…電圧検出用センサ、１９…保護回路。
【図１】
0003848722.tif 000002
【図２】
0003848722.tif 000003
【図３】
0003848722.tif 000004
【図４】
0003848722.tif 000005
【図５】
0003848722.tif 000006